(57)【要約】【課題】意匠的に優れており、構造的にも変形し難く、ランプ等の光源も簡単に取り換えができる新たなランプシェードを提供することを課題とする。【解決手段】中空の胴体部と、それに上下に続く中空の角錐状の先端部とが、一枚の折り紙から折られたランプシェードである。前記胴体部には、上下方向の複数の襞が形成され、上下の前記先端部には、前記襞と斜めに繋がり、先端に行く程漸次深く折られて、隣接の襞の上に順次重ねられる渦巻状の同数の襞が形成されている。さらに少なくとも一方の前記先端部の各襞の先端角部は、山折りに三角形に折り返されて隣接の襞との間に差し込まれている。【選択図】図１
2019040846.tif 000002
【特許請求の範囲】
【請求項１】
中空の胴体部と、それに上下に続く中空の角錐状の先端部とが、一枚の折り紙から折られたランプシェードであって、前記胴体部には、上下方向の複数の襞が形成され、上下の前記先端部には、前記襞と斜めに繋がり、先端に行く程漸次深く折られて、隣接の襞の上に順次重ねられる渦巻状の同数の襞が形成され、さらに少なくとも一方の前記先端部の各襞の先端角部は、山折りに三角形に折り返されて隣接の襞との間に差し込まれているランプシェード。
【請求項２】
前記先端部の各襞が渦巻状に集まる中央部分には、それらの襞によって形成された平面視多角形の孔が形成されており、前記渦巻状の各襞を捻じると、前記孔が開閉する請求項１に記載のランプシェード。
【請求項３】
前記一方の先端部を前記胴体部に向けて押すと、山折りに折り返されて隣接の襞との間に差し込まれた前記先端角部が前記隣接の襞に拘束されて前記多角形の孔が閉じた状態に保持される請求項２に記載のランプシェード。
【請求項４】
前記折り紙が、ＰＥＴシートに光を透過する紙を重ねたものであり、前記襞には、折り線に沿って鏝が当てられている請求項３に記載のランプシェード。
【請求項５】
上下の前記先端部の一方は、ＬＥＤランプを前記胴体部内に収納した状態で前記ＬＥＤランプの取付台に取り付けられるものである請求項１に記載のランプシェード。
【請求項６】
請求項１〜５の何れかに記載のランプシェードを備えた照明器具であって、光源としてのＬＥＤランプが前記孔を開口させることにより、取り替え可能となっている照明器具。
【発明の詳細な説明】
【技術分野】
【０００１】  本発明は、折り紙で折られたランプシェードに関するものである。
【背景技術】
【０００２】  折り紙で立体的に折られたランプシェードとしては、下記特許文献に記載のものが知られている。【０００３】特許文献１には、和紙等を折り目に沿って折ることにより、ピラミッド型のランプシェードを形成し、その内部にランプを組み込んだものが開示されている。また、特許文献２には、折り畳んで省スペース化を図ることができるランプシェードが提案されているが、その具体的な形状は示されていない。【０００４】  また、和紙を使ったランプシェードは、枚挙にいとまがないが、これらは、何れも骨組に和紙を貼り付けたものであるから、折り紙で立体的に折ったランプシェードとは、基本的に異なっている。
【先行技術文献】
【特許文献】
【０００５】
【特許文献１】特開平１０−２４７４０８号公報
【特許文献２】特開２０１７−０２０６２０号公報
【発明の概要】
【発明が解決しようとする課題】
【０００６】  このように、折り紙で立体的なランプシェードを作る試みは、極めて少ないが、折り紙でランプシェードを作る場合に要求されるポイントは、意匠的に優れていること、子供がランプシェードに触ったり、それが倒れたりしても変形しないこと、内部に収納されるランプ等の光源が交換自在であること、等が要求される。【０００７】  しかし、特許文献１に記載のものは、子供が触ると、簡単に変形するし、白熱電灯を収納するので、安全性の点で問題がある。また、特許文献２に記載のものは、提灯のように折り畳んでコンパクトにするものであるから、フロアスタンド等のランプシェードには、不向きである。【０００８】  本発明は、こうした現状から、意匠的に優れており、構造的にも変形し難く、ランプ等の光源も簡単に取り換えができる新たなランプシェードを提供することを課題とする。
【課題を解決するための手段】
【０００９】  本発明に係るランプシェード１は、図１〜図３に例示するように、中空の胴体部２と、それに上下に続く中空の角錐状の先端部３とが、一枚の折り紙から折られたものである。前記胴体部２には、上下方向の複数の襞４が形成されており、上下の各先端部３には、前記襞４と斜めに繋がり、先端に行く程漸次深く折られて、隣接の襞４０の上に順次重ねられる渦巻状の同数の襞４０が形成されている。さらに、少なくとも一方の先端部３の各襞４０の先端角部４１（図４参照）は、図６に示すように、山折りに三角形に折り返されて隣接の襞４０との間に差し込まれている。なお、図５では、三角形の先端角部４１を浮かせた状態で示しているが、この部分は、裏側に折り返されて図６のような状態に折り込まれる。【００１０】  胴体部２は、図１のように、胴回りに膨らみを持たせた丸型の形状でも良いし、図２のように、横断面が多角形の筒型の形状でも良い。これらは、フロアスタンド型のランプシェードとして使用することができる。また、図３のように、図２を横長にした円盤型の形状、すなわち、胴体部２の高さを短くし、角錐状の先端部３の長さを長くすることにより、天井から吊り下げたり、壁に掛けたりするランプシェードとすることができる。【００１１】  これらのランプシェード１の折り方については、後述するが、図１〜図３に示す、先端部３の各襞４０の先端角部４１は、山折りに折り返されて隣接の襞４０との間に差し込まれている。これにより、各襞４０の先端角部４１は、隣接の襞４０に拘束されて、それが開放しないようになっている。したがって、接着剤等を使用しなくても、ランプシェード１の中央部分に渦巻状に集められた角錐状の先端部３は、その形状を持続するようになっている。【００１２】  また、各襞４０が渦巻状に集まった中央部分には、それらの襞４０によって形成された平面視多角形の孔４２が形成されており、それらの襞４０を平面視で時計方向に、あるいは、逆方向に捻じれば、その孔４２が開閉するようになっている。【００１３】  したがって、各襞４０を捻じって孔４２を開ければ、内部に収納された光源としてのランプを取り替えることができる。その際、孔４２を全開にすると、孔４２の直径は、胴体部２と略同じ大きさになるが、その場合でも、折り癖で折りながら、それらの先端角部４１を隣接の襞４０との間に順次差し込んで行けば、各先端角部４１が隣接の襞４０に拘束されて孔４２が閉じるようになっている。これにより、ランプシェード１を元の形状に戻すことができる。これは、襞４０と襞４０との間に差し込まれたそれぞれの先端角部４１が摩擦によって拘束されるからである。【００１４】  ランプシェード１に使用する紙は、和紙や模様の入った唐紙が好ましい。その紙の厚みを厚くすると、ランプシェード１を構造的に強くすることはできるが、光の透過性は、損なわれてしまう。そこで、本発明では、透明なＰＥＴシートに、光を透過する薄手の紙、例えばキラ・胡粉等の絵具で彩色された唐紙を重ね合わせたものを使用している。これにより、折り紙の腰の強さと光の透過性とを両立させるとともに、意匠的にも優れたものとしている。また、この折り紙に折り癖を付けるときは、折り線に沿って各襞４、４０に鏝やアイロンを当てると良い。その場合の温度は、ＰＥＴシートが軟化する程度の低い温度である。【００１５】  こうしたランプシェード１は、その胴体部２内にＬＥＤランプを収納した状態で、上側又は下側の先端部３が、図７のＬＥＤランプの取付台５に固定される。この取付台５は、広く流通しているものであれば、どのような形態のものでも構わない。【００１６】  ここで使用するＬＥＤランプは、発熱が殆どないため、ランプシェード１内で使用しても安全である。また、各襞４０が渦巻状に集まる先端部３の中央部分には、それらの襞４０によって孔４２が形成されているが、その孔４２を捻じって開口させることにより、内部のＬＥＤランプが取り替え可能となっている。【００１７】  したがって、フロアスタンドに使用するランプシェードの場合は、上側の孔４２を開けてＬＥＤランプを交換し、天井から吊り下げるランプシェードの場合は、下側の孔４２を開けて交換することになる。
【発明の効果】
【００１８】  本発明によれば、横断面が多角形の中空の胴体部２と、それに続く上下の中空の角錐状先端部３とを備えているため、構造的に変形し難いランプシェードとすることができる。また、使用する折り紙が、ＰＥＴシートに光を透過する薄手の紙を重ねたものであるから、子供が触ったり、それが倒れたりしても変形しないメリットがある。さらに、先端部３の渦巻状の襞を捻じれば、その中央部分に形成された孔４２が開閉して、内部に収納されたＬＥＤランプを取り替えることができるから、使い勝手のよいランプシェードとすることができる。
【図面の簡単な説明】
【００１９】
【図１】本発明の第１実施形態に係る丸型ランプシェードの図面代用写真。
【図２】本発明の第２実施形態に係る筒型ランプシェードの図面代用写真。
【図３】本発明の第３実施形態に係る円盤型ランプシェードの図面代用写真。
【図４】図１のランプシェードの先端角部４１を示す図面代用写真。
【図５】図１の先端角部４１を折り返す前の状態の図面代用写真。
【図６】図５の先端角部４１を裏側に折り返した状態の図面代用写真。
【図７】図１のランプシェードをフロアスタンドに使用した照明器具の図面代用写真。
【図８】図１の丸型ランプシェードの折り紙を展開した状態の図面代用写真。
【図９】図８の状態の折り紙の谷折れ線に沿って折る段階の図面代用写真。
【図１０】図８の状態の折り紙を山折れ線に沿って折った段階の図面代用写真。
【図１１】図１０の折り紙の両端部を糊付けして立てた状態の図面代用写真。
【図１２】図１１の折れ線に沿って襞を形成している状態の図面代用写真。
【図１３】図１２の状態からさらに折り進めた状態の図面代用写真。
【図１４】図１３の完成体を斜め上から見た状態の図面代用写真。
【図１５】各襞４０の先端角部４１を裏側に折り込む前の状態の図面代用写真。
【図１６】図１５のランプシェードの天地を逆にして上部の裏側を写した図面代用写真。
【図１７】図１６の折れ線に沿って襞を形成している状態の図面代用写真。
【図１８】図１７の状態からさらに折り進めた状態の図面代用写真。
【図１９】図１８の状態からさらに折り進めた状態の図面代用写真。
【図２０】図１９のランプシェードの天地を逆にして上側を写した図面代用写真。
【図２１】図２０の状態から折り畳んだ先端部３を再度広げた状態の図面代用写真。
【図２２】図２１の状態のシェード内に取り付けるドーナツ型のディスクプレート４４を置いた状態の図面代用写真。
【図２３】図２２の状態でディスクプレート４４にビス４５を入れた状態の図面代用写真。
【図２４】図２３の状態の天地を逆にして、シェードの外側にもう一枚のディスクプレート４４をはめ込みビス４５にナット４６を止めた状態の図面代用写真。
【図２５】図２４の状態から上面に裏返し先端部３を折り戻した状態の図面代用写真。
【図２６】図２５の先端角部４１の一枚を裏側に折り込む前の状態の図面代用写真。
【図２７】各先端角部４１を裏側に折り込んで完成させた状態の図面代用写真。
【図２８】図２の筒型ランプシェードの折り紙を展開した状態の図面代用写真。
【図２９】図３の円盤型ランプシェードの折り紙を展開した状態の図面代用写真。
【発明を実施するための形態】
【００２０】  以下、本発明の一実施形態に係る丸型ランプシェードと、その作り方について図８〜図２９により説明する。
【００２１】  図８は、図１の実施形態に係る丸型ランプシェードの折り紙の展開図である。この図において、実線は、山折り線Ｌ１を示し、破線は、谷折れ線Ｌ２を示す。また、左端には、右端と貼り合わせる糊しろ４３を設けている。
【００２２】  先ず図８の横の谷折れ線Ｌ２を図９に示すように谷折りにする。次に縦の谷折れ線Ｌ２を谷折りし、縦の山折り線Ｌ１を山折りにして図１０の状態にする。
図１０の糊しろ４３に糊を塗り、図１１に示すように両端部を糊付けする。両端の糊付け部が乾燥した後、図１２〜図１４に示すように、先端角部４１を一つ一つ折り目を重ねていき、図１５の状態にする。図１６に示すように図１５の状態の折り紙を裏返し、図１２〜１４と同じように図１７〜１８に示すように一つずつ折り目を重ねていき図１９の状態にする。
【００２３】  次に照明器具に装着するためのディスクプレート４４の取り付けについて、図２０〜２４で説明する。図２０に示すように、折り紙を上面に裏返し、先端部３の折りを開いて図２１の状態にする。図２２〜２４に示すように、照明器具の取り付け孔部４７に合わせてディスクプレート４４を載せ、ビス４５とナット４６でランプシェード１本体にディスクプレート４４を固定する。再度折り紙上面の先端部３を折り戻し図２５の状態にする。
【００２４】  通常の紙類だとこれで制作完了だが、薄くて耐久性の強い加工紙を使用するため反発性が強くこのままだと各折り目が戻ろうとしてしまうため、図２６に示すように、折り重ねて放射線状にできた紙の各先端角部４１を、もう一度内側に隠れるように一枚ずつ山折りしていき折口を固定し、図２７に示すように丸型ランプシェードが完成する。
【００２５】  なお、上記は本発明の第１実施形態に係る丸型ランプシェードの折り方について説明したが、第２実施形態に係る筒型ランプシェード及び第３実施形態に係る円盤型ランプシェードについても、図２８、図２９に示す折り紙の展開図から同じような折り方で製作することができる。
【符号の説明】
【００２６】  １  ランプシェード
２  胴体部
３  先端部
４  襞
５  取付台
４０  襞
４１  先端角部
４２  孔
４３  糊しろ
４４  ディスクプレート
４５  ビス
４６  ナット
４７  照明器具の取り付け孔部
Ｌ１  山折り線
Ｌ２  谷折れ線
【図１】
2019040846.tif 000003
【図２】
2019040846.tif 000004
【図３】
2019040846.tif 000005
【図４】
2019040846.tif 000006
【図５】
2019040846.tif 000007
【図６】
2019040846.tif 000008
【図７】
2019040846.tif 000009
【図８】
2019040846.tif 000010
【図９】
2019040846.tif 000011
【図１０】
2019040846.tif 000012
【図１１】
2019040846.tif 000013
【図１２】
2019040846.tif 000014
【図１３】
2019040846.tif 000015
【図１４】
2019040846.tif 000016
【図１５】
2019040846.tif 000017
【図１６】
2019040846.tif 000018
【図１７】
2019040846.tif 000019
【図１８】
2019040846.tif 000020
【図１９】
2019040846.tif 000021
【図２０】
2019040846.tif 000022
【図２１】
2019040846.tif 000023
【図２２】
2019040846.tif 000024
【図２３】
2019040846.tif 000025
【図２４】
2019040846.tif 000026
【図２５】
2019040846.tif 000027
【図２６】
2019040846.tif 000028
【図２７】
2019040846.tif 000029
【図２８】
2019040846.tif 000030
【図２９】
2019040846.tif 000031
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
中空の胴体部と、それに上下に続く中空の、傾斜した複数の襞が放射状に部分的に折り重なった先端部とが、一枚の折り紙から折られたランプシェードであって、前記胴体部には、上下方向の複数の襞が形成され、上下の前記先端部には、前記胴体部の各襞と斜めに繋がり、先端に行く程漸次深く押されて、隣接の襞の上に順次重ねられる渦巻状の同数の襞が形成され、さらに少なくとも一方の前記先端部の各襞の先端角部は、山折りに三角形に折り返されて隣接の襞との間に差し込まれているランプシャード。
【請求項２】
前記先端部の各襞が渦巻状に集まる中央部分には、それらの襞によって形成された平面視多角形の孔が形成されており、前記渦巻状の各襞を捻じると、前記孔が開閉する請求項１に記載のランプシェード。
【請求項３】
前記一方の先端部を前記胴体部に向けて押すと、山折りに折り返されて隣接の襞との間に差し込まれた前記先端角部が前記隣接の襞に拘束されて前記多角形の孔が閉じた状態に保持される請求項２に記載のランプシェード。
【請求項４】
前記折り紙が、ＰＥＴシートに光を透過する紙を重ねたものであり、前記襞には、折り線に沿って鏝による折り癖が付けられている請求項３に記載のランプシェード。
【請求項５】
上下の前記先端部の一方は、ＬＥＤランプを前記胴体部内に収納した状態で前記ＬＥＤランプの取付台に取り付けられるものである請求項１に記載のランプシェード。
【請求項６】
請求項２又は３に記載のランプシェードを備えた照明器具であって、光源としてのＬＥＤランプが前記孔を開口させることにより、取り換え可能となっている照明器具。